【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
遊技球が通過することにより抽選の契機となる作動口と、
開閉作動する普通電動役物と、
遊技球が常時入球可能な第１の始動口と、
前記普通電動役物に設けられた第２の始動口と、
前記第１の始動口又は前記第２の始動口への入球に起因して当否判定を行う当否判定手段と、
前記当否判定の結果に基づいて図柄を所定の変動時間で変動させ、前記変動時間の終了により前記図柄を確定表示させることで前記当否判定の結果を報知する表示装置と、を備え、
前記抽選により当りと判定された場合は、前記普通電動役物を開閉作動させる当り遊技期間と、
前記当否判定により、大当りと判定された場合には、大入賞口を開閉作動させる大当り遊技と、小当りと判定された場合は、前記大入賞口を開閉動作させる小当り遊技と、を実施可能で、
前記大当り遊技の終了後に、前記普通電動役物の開放動作が延長される開放延長遊技を実施可能な遊技機において、
発射された遊技球が流下する遊技領域は、遊技球を第１の発射強度で発射したときに遊技球が主に流下可能な第１の遊技領域と、前記第１の発射強度よりも強い第２の発射強度で発射したときに遊技球が主に流下可能な第２の遊技領域と、に分けられ、
前記第１の遊技領域には、少なくとも、前記第１の始動口が設けられ、
前記第２の遊技領域には、少なくとも、前記作動口、前記普通電動役物、前記第２の始動口、前記大入賞口が設けられ、
前記大入賞口は前記普通電動役物の下流に配置され、
前記第２の始動口への入球に起因して実施する前記小当り遊技に、
前記当り遊技期間に基づいて前記大入賞口への遊技球の入球が困難な第１の状態と、
前記第１の状態よりも前記大入賞口への遊技球の入球が容易な第２の状態と、を設け、
前記第１の状態と前記第２の状態とは、前記変動の回数が所定回数に達することを条件に切替えられることを特徴とする遊技機。
【手続補正２】
【補正対象書類名】明細書
【補正対象項目名】０００１
【補正方法】変更
【補正の内容】
【０００１】
本発明は、始動口への入球に起因し当否判定を行い、判定が小当り時に小当り遊技への移行を可能とする遊技機に関する。
【手続補正３】
【補正対象書類名】明細書
【補正対象項目名】０００２
【補正方法】変更
【補正の内容】
【０００２】
従来の遊技機には、始動口への入球に起因して特別図柄の変動を伴う当否判定を行い、判定結果が大当りであれば大入賞口を長時間開放する大当り遊技が実施される「第１種」の遊技性を備え、大当り遊技終了後に、始動口を開閉する普通電動役物の開放時間が延長される開放延長遊技を実施可能としたものがある(例えば特許文献１参照)。
【手続補正４】
【補正対象書類名】明細書
【補正対象項目名】０００３
【補正方法】変更
【補正の内容】
【０００３】
従来の遊技機として、特別図柄の判定結果が小当りであれば、大入賞口を短時間開放する小当り遊技を実施するものもある(例えば特許文献２参照)。
【手続補正５】
【補正対象書類名】明細書
【補正対象項目名】０００５
【補正方法】変更
【補正の内容】
【０００５】
従来の小当り遊技を実施する遊技機では、小当り遊技に関して、大入賞口の開放時間が短時間のため遊技が単調になりがちで、興趣の向上に資するに充分な工夫が為されているとは言えなかった。
そこで本発明は、小当り遊技を実施する遊技機において、遊技が単調とならず、高い遊技性を有する遊技機を提供することを課題としてなされたものである。
【手続補正６】
【補正対象書類名】明細書
【補正対象項目名】０００６
【補正方法】変更
【補正の内容】
【０００６】
請求項１に記載の発明は、
遊技球が通過することにより抽選の契機となる作動口と、
開閉作動する普通電動役物と、
遊技球が常時入球可能な第１の始動口と、
前記普通電動役物に設けられた第２の始動口と、
前記第１の始動口又は前記第２の始動口への入球に起因して当否判定を行う当否判定手段と、
前記当否判定の結果に基づいて図柄を所定の変動時間で変動させ、前記変動時間の終了により前記図柄を確定表示させることで前記当否判定の結果を報知する表示装置と、を備え、
前記抽選により当りと判定された場合は、前記普通電動役物を開閉作動させる当り遊技期間と、
前記当否判定により、大当りと判定された場合には、大入賞口を開閉作動させる大当り遊技と、小当りと判定された場合は、前記大入賞口を開閉動作させる小当り遊技と、を実施可能で、
前記大当り遊技の終了後に、前記普通電動役物の開放動作が延長される開放延長遊技を実施可能な遊技機において、
発射された遊技球が流下する遊技領域は、遊技球を第１の発射強度で発射したときに遊技球が主に流下可能な第１の遊技領域と、前記第１の発射強度よりも強い第２の発射強度で発射したときに遊技球が主に流下可能な第２の遊技領域と、に分けられ、
前記第１の遊技領域には、少なくとも、前記第１の始動口が設けられ、
前記第２の遊技領域には、少なくとも、前記作動口、前記普通電動役物、前記第２の始動口、前記大入賞口が設けられ、
前記大入賞口は前記普通電動役物の下流に配置され、
前記第２の始動口への入球に起因して実施する前記小当り遊技に、
前記当り遊技期間に基づいて前記大入賞口への遊技球の入球が困難な第１の状態と、
前記第１の状態よりも前記大入賞口への遊技球の入球が容易な第２の状態と、を設け、
前記第１の状態と前記第２の状態とは、前記変動の回数が所定回数に達することを条件に切替えられることを特徴とする。
【手続補正７】
【補正対象書類名】明細書
【補正対象項目名】０００７
【補正方法】変更
【補正の内容】
【０００７】
これによれば、普通図柄の作動口へ入球し、これを通過し、かつ普通電動役物に入球しなかった遊技球のみが大入賞口へ入球可能な構成としたので、普通電動役物を開閉作動させる当り遊技期間とに基づく大入賞口への遊技球の入球が困難な第１の状態の時は、普通電動役物から第２の始動口への入球に起因する当否判定の結果が小当りと判定されて大入賞口が開放しても、遊技球は普通電動役物に入球してしまうため、大入賞口には入らない。しかし当否判定手段により大当り又は小当りとなる可能性がある。
一方、第１の状態よりも大入賞口への遊技球の入球が容易な第２の状態の時は、遊技球が普通図柄の作動口を通過しても、そのまま遊技球が大入賞口まで至ることが可能となる。
このように、第１の状態と第２の状態とで、異なる遊技を味わうことができ、高い遊技性を発揮することができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２７
【補正方法】変更
【補正の内容】
【００２７】
演出用検出ＳＷ５１１の下流には、演出用検出ＳＷ５１１を通過した遊技球が高い確率で通過（入球）可能な普通図柄（以下、普図という）の普図作動ゲート２２（作動口）が設けられている。普図作動ゲート２２は遊技球が入球して通過することにより普図の当否抽選が実行される起因となるもので、通過により普図の当り決定用乱数、普図の当り図柄決定乱数、普図のリーチ判定用乱数、普図の変動パターン決定用乱数などの複数種類の乱数が抽出される。
【手続補正２２】
【補正対象書類名】明細書
【補正対象項目名】０１１３
【補正方法】変更
【補正の内容】
【０１１３】
次に本発明の第３の実施形態を説明する。先の第１及び第２の実施形態では、普図の当り遊技の当り遊技終了期間を、演出時間の異なる第１終了期間と第２終了期間とに切替えることで、時短遊技において図柄当りを狙う遊技とするか役物当りを狙う遊技とするかを切替える構成であるが、本実施形態では普図の当り遊技の普電役物２４の開放時間(普電開放態様)を、開放時間の長い第１普電開放態様（特許請求の範囲に記載の第１の状態に相当する）と、開放時間の短い第２普電開放態様（特許請求の範囲に記載の第２の状態に相当する）とに切替えることで、図柄当りを狙う遊技とするか役物当りを狙う遊技とするかを切替えるように構成されたものである。本実施形態の基本構成は前記第１の実施形態のそれとほぼ同じであり、相違点を説明する。
【手続補正２３】
【補正対象書類名】明細書
【補正対象項目名】０１３１
【補正方法】変更
【補正の内容】
【０１３１】
２  遊技盤
２０  遊技領域
２１  演出図柄表示装置
２２  普図作動ゲート（作動口）
２３  第１特図始動口（第１の始動口）
２４  普通電動役物
２５  第２特図始動口（第２の始動口）
４０  主制御装置（当否判定手段）
６Ａ  第１大入賞口（大入賞口）
６２特定領域
Ｌ  左打ち領域（第１の遊技領域）
Ｒ  右打ち領域（第２の遊技領域）